(57)【要約】【課題】ハンズフリーモード下において受信をして良い相手先からの着信に対してのみ応答して通話することができ、ハンズフリーモード下において受信したくない相手からの通話を自動的に避けることができるようにする。【解決手段】発呼先登録手段（電話帳ＲＡＭ）９に登録（発呼先登録）された発呼先のうちの任意のものについて、ハンズフリーモード下における着信時に受信の許容に関する登録（受信許容登録）が可能なるようにする。そして、ハンズフリーモード下において着信があった場合、電話番号を検出し、その検出した電話番号と、受信許容登録された発呼先の電話番号とを照合し、一致が検出された場合にのみその後の通話を許容するようにする。【効果】ハンズフリーモード下において、受信許容登録の為された発呼先からの着信があった場合のみその後の通話が許容され、それ以外の電話の着信に対しては自動的に電話を切るようにできる。【選択図】　　　　図１
2004023185.tif 000002
【特許請求の範囲】
【請求項１】
発呼先とそれの電話番号を単位として記憶する発呼先登録手段を備えハンズフリー発着信可能な携帯電話機において、
上記発呼先登録手段に記憶された任意の発呼先について、ハンズフリーモード下における着信後の通話の許容又は禁止に関する受信許容又は禁止登録が可能なるようにされ、
ハンズフリーモード下において、着信があった場合、その電話番号を検出し、その電話番号と、上記受信許容又は禁止登録された発呼先の電話番号を照合し、
一致があった場合に、その後の通話の許容又は禁止をするようにされた
ことを特徴とする携帯電話機。
【請求項２】
上記発呼先登録手段に、ハンズフリーモード下における着信後の通話の許容又は禁止に関する登録が為された場合において、その発呼先のディスプレイ上における表示時に、その発呼先についてハンズフリーモード下における着信後の通話の許容又は禁止に関する登録が為されていることを認識させることができるようにされている
ことを特徴とする請求項１記載の携帯電話機。
【請求項３】
発呼先についてハンズフリーモード下における着信後の通話の許容又は禁止に関する登録が為されていることを、その発呼先の表示に予め設定された文字、記号、符号若しくは模様を付記することによって、発呼先及び／若しくはその電話番号の色を他の発呼先のそれらの色と変えることによって、発呼先及び／若しくはその電話番号の背景色を変えることによって、発呼先及び／若しくはその電話番号の書体を変えることによって、又は、発呼先及び／若しくは電話番号にアンダーライン若しくはオーバーラインをつけることによって、認識させるようにしてなる
ことを特徴とする請求項２記載の携帯電話機。
【請求項４】
発呼先についてハンズフリーモード下における着信後の通話の許容又は禁止に関する登録が為された発呼先からの着信があった場合、自動的に、予め設定されたところの相手先へのメッセージを送話し、その後、通話を切る動作をするようにされてなる
ことを特徴とする請求項１、２又は３記載の携帯電話機。
【請求項５】
相手先へのメッセージが通話不能であることを知らせると共に、用件を述べることを促すことを内容とし、
上記メッセージの終了後、所定時間上記相手先からの通話を録音し、その所定時間経過後電話を自動的に切るようにしてなる
ことを特徴とする請求項４記載の携帯電話機。
【発明の詳細な説明】
【０００１】
【発明の属する技術分野】
本発明は、携帯電話機、特に、発呼先とそれの電話番号を単位として記憶する発呼先登録手段を備えハンズフリー発着信可能な携帯電話機に関する。
【０００２】
【従来の技術】
携帯電話機は、ハンズフリーユニットと接続すると、ハンズフリー通話が可能なようにされている。従って、例えば自動車等を運転するとき、ハンズフリーの状態で携帯電話機による通話が可能なので、携帯電話機による通話によって運転を誤るという事故を顕著に軽減することができる。
依って、自動車等を運転しながら携帯電話での通話をしなければならないケースの多い人は、携帯電話機をハンズフリーユニットに接続してハンズフリー通話をするようにすることが交通安全上からも非常に好ましい。そのようにすると、車内に設置されたスピーカを通じて通話の相手からの音声を聞き、また、車内にハンズフリー用に設置したハンズフリー用マイクロフォンを通じて通話の相手に送話することができるのである。
【０００３】
【発明が解決しようとする課題】
ところで、ハンズフリー状態で自動車等を運転する場合に問題となるのは、例えば助手席、或いは後部座席に座っている人に通話の内容を知られたくないにも拘わらず、知られてしまうという不都合が生じる場合があることである。
例えば、一つのお得意先の会社の社員を助手席、或いは後部座席に座らせて走行中の際に、別のお得意先で、社員を助手席或いは後部座席に座らせているお得意先会社とはライバル関係にある会社から電話がかかるような場合がその一つの例である。
【０００４】
また、プライベートにおいて、或る恋人とドライブ中に、別の恋人から携帯電話を受けたような場合も、通話内容を知られたくない場合の一つの例であろう。
【０００５】
本発明はこのような問題点を解決すべく為されたものであり、ハンズフリーモード下においては受信をして良い相手先からの着信に対してのみ応答してその後の通話をすることができ、受信をしたくない相手先からの通話を自動的に避けることができるようにすることを目的とする。
【０００６】
【課題を解決するための手段】
請求項１の携帯電話機は、発呼先登録手段に記憶された任意の発呼先にハンズフリーモード下における着信の許容又は禁止に関する登録が可能なるようにされ、ハンズフリーモード下において、着信があった場合、その電話番号を検出し、その電話番号と、上記受信許容又は禁止登録された発呼先の電話番号を照合し、一致があった場合に、その後の通話の許容又は禁止をするようにされたことを特徴とする。
【０００７】
従って、請求項１の携帯電話機によれば、発呼先登録手段に記憶された任意の発呼先についてハンズフリーモード下における着信後の通話許容又は禁止に関する登録を予めしておくと、ハンズフリーモード下において着信があると、その相手先の電話番号と上記登録の電話番号との照合が行われ、一致の有無が確認され、一致があった場合その通話の許容又は禁止がされるので、その登録によりハンズフリーモード下においては受信をして良い相手先からの着信に対してのみ応答してその後の通話をすることができ、受信をしたくない相手先からの通話を自動的に避けるようにすることができる。
【０００８】
【発明の実施の形態】
本発明は、基本的には、発呼先登録手段に記憶された任意の発呼先にハンズフリーモード下における着信の許容又は禁止に関する登録が可能なるようにされ、ハンズフリーモード下において、着信があった場合、その電話番号を検出し、その電話番号と、上記受信許容又は禁止登録された発呼先の電話番号を照合し、一致があった場合に、その後の通話の許容又は禁止をするようにされている。
【０００９】
このような実施の形態においては、発呼先について、ハンズフリーモード下において着信後の通話を禁止することを登録する態様と、通話を許容することを登録する態様とがある。
前者、即ち、通話を禁止することを登録する態様においては、発呼先登録手段に記録されつつハンズフリーモード下における通話について禁止が登録されていない発呼先及び発呼先登録手段に元々記録されていない相手先からの着信に対しては通話が許容される。
【００１０】
後者、即ち、発呼先について通話を許容することを登録する態様においては、その登録された発呼先からの着信に対してのみ通話が許容され、それ以外、即ち、発呼先登録手段に登録された発呼先であって通話の許容に関しての登録の為されていない発呼先からの着信及び発呼先登録手段に記録されていない相手先からの着信については通話が許容されないことになる。本発明においては、どの態様で実施しても良いが、後述する実施例は後者の態様を採っている。
【００１１】
また、このような携帯電話機においては、発呼先登録手段に記憶された任意の発呼先にハンズフリーモード下における着信の許容又は禁止に関する登録が為された場合、その発呼先がディスプレイに表示されたとき、その発呼先がハンズフリーモード下における着信の許容又は禁止に関する登録が為されていることを認識させることができるようにした方がよい。登録済みか否かについて忘れてしまう可能性があり、延いては、ハンズフリーモード下において受信を望まない相手先からの着信に対して通話が為されてしまうことが起き兼ねないからである。
【００１２】
そして、発呼先がハンズフリーモード下における着信の許容又は禁止に関する登録が為されていることをユーザーに認識させる手段の具体例を下記に挙げる。
１．ディスプレイに、発呼先登録手段に記録されている発呼先をその電話番号と共に表示させたとき、その発呼先及び／又はその電話番号の表示に予め設定された文字、記号、符号若しくは模様を付記する。
因みに、後述する実施例においては、発呼先の前に、＊（アスタリスク）を付記することによりハンズフリーモード下において受信可能であることをユーザーに認識させるようにしている。
２．発呼先及び／若しくはその電話番号の表示色を他の発呼先のそれらの表示色と変える。
３．発呼先及び／若しくはその電話番号の背景色をつける、或いは他と背景色を変える。
４．発呼先及び／若しくは電話番号の書体を変える。
５．発呼先及び／若しくは電話番号にアンダーライン若しくはオーバーラインをつける。
【００１３】
また、ハンズフリーモード下において許容又は禁止に関する登録の為された発呼先からの着信があった場合、自動的に、電話機を切るようにしても良いが、その場合、電話をかけてきた相手にとっては何のメッセージも受けないまま電話が切られたことになり、不審を抱きかねない。そこで、電話を自動的に切るにあたってメッセージを流すようにでき、そのメッセージを予め設定しておくことができるようにしておくと良い。
尚、所謂留守録をするようにしても良い。即ち、相手先へのメッセージを、通話不能であることを知らせると共に、相手方に用件を述べることを促すことを内容とし、そのメッセージの終了後、所定時間上記相手先からの通話を録音し、その所定時間経過後電話を自動的に切るようにするのである。このように、本発明は種々の態様で実施することができる。
【００１４】
【実施例】
以下、本発明を図示実施例に従って詳細に説明する。
図１（Ａ）〜（Ｃ）は本発明携帯電話機の第１の実施例を示すもので、（Ａ）は携帯電話機の回路構成の概略を示す回路ブロック図、（Ｂ）は発呼先登録手段（電話帳ＲＡＭ９）に記録された内容の一部をディスプレイに表示した例を示す図、（Ｂ）はハンズフリーモード下において着信があった場合の動作を示すフローチャートである。
【００１５】
先ず、図１（Ａ）を参照して携帯電話機の回路構成について説明する。１は制御部で、ＣＰＵ（Ｃｅｎｔｒａｌ　Ｐｒｏｃｅｓｓｉｎｇ　Ｕｎｉｔ）、該ＣＰＵに実行させるプログラム等を記憶するＲＯＭ（Ｒｅａｄ　Ｏｎｌｙ　Ｍｅｍｏｒｙ）及び該ＣＰＵが該ＲＯＭに記録されたプログラムを実行するうえで必要な一時的記憶等の記憶を行うＲＡＭ（Ｒａｎｄｏｍ　Ａｃｃｓｅｓ　Ｍｅｍｏｒｙ）等からなる。
【００１６】
２は無線回路で、無線で種々の信号を送信したり、外部からの無線による信号を受信したりする。３は音声入出力回路で、携帯電話機内蔵マイクロフォン４で収音され、アンプ５で増幅された音声信号を処理したり、音声信号を合成してアンプ６に増幅させ、携帯電話機内蔵スピーカ７に音声出力をさせたりする。
８は操作部で、テンキー、電源キー、その他各種のスイッチ類からなる。９は発呼先登録手段を成す電話帳ＲＡＭで、例えば既存の方法で発呼先とその電話番号を登録（以後「発呼先登録」という。）することができるようになっており、更にはその発呼先登録が為された発呼先のうちの任意のものについて、後述する受信許容登録をすることもできるようになっている。１０は例えば液晶表示素子からなるディスプレイであり、各種の表示を行う。
【００１７】
以上が、即ち、１〜１０の回路等からなる部分が発呼先登録手段の本体部分である。次に、該発呼先登録手段の本体部分に着脱可能に接続されるハンズフリー用回路について説明する。１１はハンズフリー用回路で、操作部８の各種キーの操作等によるハンズフリーモードの指定が為されたとき、発呼先登録手段内蔵マイクロフォン４に代えてハンズフリー用マイクロフォン（１４）に収音させ、且つ、発呼先登録手段内蔵スピーカ７に代えて自動車内に装備された車内スピーカ１７Ｌ、１７Ｒに音声を発せさせる役割を果たす。
【００１８】
次に、図１（Ｂ）を参照して発呼先登録手段を成す電話帳ＲＡＭ９による発呼先登録について説明する。
現在、市販されている携帯電話機のほとんどは、発呼先とその電話番号を登録することができるようにされ、その登録された発呼先をディスプレイに表示させ、カーソル等により一つの発呼先を指定して発呼操作をすると、後はテンキーにより発呼先電話番号を指定する操作をしなくても自動的にその発呼先に発呼するようになっている。
【００１９】
従って、電話をかける頻度が高い発呼先は電話帳ＲＡＭに電話番号を登録しておくと便利であり、携帯電話機使用者のほとんどの人がこの機能を活用している。図１（Ｂ）に示すのはその登録内容をディスプレイに表示したものであるが、本実施例においては、一部の発呼先について「＊（アスタリスク）」のマークが付記されている。これは、当該発呼先が、ハンズフリーモード下で、電話をかけてきたとき通話をしないという登録が為されたことをユーザーに認識させるものである。このような認識をさせる手段は必ずしも＊を付記する手段だけに限定されるわけではなく、前述の如く種々あり得る。
【００２０】
このように、本実施例においては、電話帳ＲＡＭ９に登録された発呼先のうちの任意のものに、ハンズフリーモード下での着信時、通話を許容することを登録（以後「受信許容登録」という。）することができるようになっている。
【００２１】
次に、図１（Ｃ）を参照して、着信時における動作フローを説明する。
（１）「ハンズフリー？」
着信があった場合、ハンズフリーモードにする指定が為されているか否かを検出する。
（２）「電話番号を確認する」
上記ステップ（１）の判定結果がＹｅｓの場合、電話をかけてきた相手の電話番号を確認する。
【００２２】
（３）「受信許容登録電話番号？」
上記ステップ（２）が終了すると、即ち、電話をかけてきた相手の電話番号の確認が終了すると、その電話番号が受信許容登録の発呼先の電話番号の何れかと合致するか否かを判定する。図１（Ｂ）に示す例では、田中　二郎、鈴木美智子、又は森本　太郎の電話機からの電話の場合、Ｙｅｓという判定結果が生じる。それ以外の者の電話機からの電話の場合、Ｎｏという判定結果が生じる。
【００２３】
（４）「通話状態形成」
上記ステップ（１）の判定結果がＮｏの場合、換言すれば、ハンズフリーモードではない場合、又はステップ（３）の判定結果がＹｅｓの場合、換言すれば、受信許容者の電話機からの電話であった場合は、通話状態を形成する。
（５）「通常通話」
上記ステップ（４）が終了すると、通常の通話が行われるようにする。
【００２４】
（６）「エンドコール？」
次に、エンドコールがあったか否かを判定する。判定結果がＮｏであれば、ステップ（５）に戻り、判定結果がＹｅｓであれば、このフローが終了する。
（７）「電話不能メッセージ」
上記ステップ（３）の判定結果がＮｏの場合、即ち、電話をかけてきた相手の電話番号が受信許容登録の発呼先の電話番号の何れかと合致した場合、電話不能メッセージを送信する。即ち、図１（Ｂ）に示す例では、田中　二郎、鈴木美智子、又は森本　太郎の電話機以外の電話機からの電話の場合、電話不能メッセージを送るのである。このメッセージの内容はユーザーが任意に設定できるようにすると良い。
【００２５】
電話不能メッセージとしては、例えば「ただいま、電話機の側に誰もいません。申し訳ありません。」というのが例として挙げられる。
尚、電話不能メッセージに代えて、所謂留守録できるようにしても良い。例えば「電話機には出られないので、ピーという音が鳴りましたら、３０秒間以内でメッセージを下さい。後でご返事をさせて頂きます。」と言うメッセージを送り、「ピー」という合成音を送り、その後、３０秒間相手からの送話をメモリに録音するようにしても良い。このようにすると、後でその録音内容を再生することにより相手方が伝えたかった事柄を確認することができる。尚、このようなメッセージの送話、及び留守録のメッセージの受話は、当然のことながら自動的に行われ、自動車内にいる人には一切聞こえないようにされていることは言うまでもない。
（８）「電話を切る」
その後、電話を切る。そして、電話を切ると、このフローは終了する。
【００２６】
図２は上記実施例における発呼先登録をする発呼先登録モードでの動作を示すフローチャートである。この発呼先登録モードでは、普通の発呼先登録、即ち、発呼先とその電話番号を登録することができるのみならず、発呼先登録が為された発呼先のうちの任意のものをカーソル等で指定し、フリーハンズ下における着信時の通話を許容する登録、つまり受信許容登録をすることができるようになっている。
【００２７】
以下に、この図２を参照してその発呼先登録モード下における動作の説明をする。
（１０）「通常の発呼先登録動作」
本発呼先登録モードのフローがスタートすると、先ず、通常の発呼先登録動作が為される。即ち、発呼先をインプットし、更にその電話番号をインプットすると、その発呼先について電話番号が登録されるのである。
【００２８】
（１１）「一つの登録発呼先の指定完了？」
発呼先登録を表示しそのうちの一つを例えばカーソル等で指定する操作が為されたか、否かを判定する。判定結果がＮｏならば、ステップ（１０）に戻る。
【００２９】
（１２）「受信許容登録意思確認表示」
ステップ（１１）の判定結果がＹｅｓの場合、指定を終えた登録済みの発呼先について、受信許容登録をする意思があるか否かを確認するための表示をする。例えば、「＊ボタンを押すとハンズフリーモード下での受信を許容する登録がされます。」というような表示をディスプレイ１０にさせる。
（１３）「受信許容登録操作？」
次に、予め設定された操作［例えば＊（アスタリスク）ボタンを押す］による受信許容登録が為されたか否かを判定する。
【００３０】
（１４）「ｔ＞Ｔ？」
上記ステップ（１３）の判定結果がＮｏの場合、計時を開始し、計時時間ｔが予め設定された基準時間Ｔ（例えば３秒間）より長いか否かを判定する。その判定結果がＮｏならばステップ（１３）に戻る。本実施例では、ステップ（１２）で受信許容登録意思を確認後所定の基準時間Ｔ（例えば３秒間）内に受信許容登録をする操作がない場合には、受信許容登録をする意思がないとみなすこととしている。
（１５）「受信許容登録」
上記ステップ１３の判定結果がＹｅｓの場合、即ち、受信許容登録をする操作が為された場合、当該登録発呼先（カーソル等による指定が為された登録発呼先）について受信許容登録をする。つまり、電話帳ＲＡＭの当該登録発呼先についてハンズフリーモード下での着信後の通話が許容される旨を付加する登録をするのである。
【００３１】
（１６）「受信許容登録の旨の表示」
ステップ１５の受信許容登録が為された旨の表示をする。具体的には、表示されている発呼先登録済みの発呼先に「＊（アスタリスク）」を付記する。これにより、ユーザーはその発呼先からのハンズフリーモード下における着信について通話を許容する登録、即ち受信許容登録をしたことを確認することができる。尚、このステップ（１６）とステップ（１５）との順序はこの逆でも良い。即ち、ステップ（１６）が先で、ステップ（１５）が後という順序でも良い。
【００３２】
（１７）「モード終了？」
ステップ（１４）の判定結果がＹｅｓの場合、換言すれば、計時時間ｔが基準時間Ｔ（例えば３秒間）を経過しても受信許容登録が為されなかった場合、又はステップ（１６）が終了した場合、本受信許容登録モードを終了させる操作が為されたか否かを判定し、その判定結果がＮｏならば、ステップ（１１）に戻り、Ｙｅｓならば本受信許容登録モードが終了する。
【００３３】
このような携帯電話機によれば、発呼先登録手段たる電話帳ＲＡＭ９に記憶された任意の発呼先についてハンズフリーモード下における着信後の通話を許容する登録（受信許容登録）を予めしておくと、ハンズフリーモード下において着信があった場合、その相手先の電話番号と上記受信許容登録の電話番号との照合（一致の有無が確認）され、一致があった場合その通話が許容され、それ以外の場合、一致がない場合には通話が禁止がされるようにできる。
従って、その登録によりハンズフリーモード下においては受信をしたくない相手先からの通話を自動的に避けることができる。
【００３４】
そして、受信許容登録されていない発呼先からの電話を自動的に切る場合、相手先にメッセージを送った後切るようにしてなるので、電話をかけてきた相手に不信感、不快感を与えないようにすることが可能となる。
また、留守録できるようにした場合には、後で相手側からの留守録メッセージの再生により相手方の留守録メッセージの内容を確認することができる。
【００３５】
【発明の効果】
請求項１の携帯電話機によれば、発呼先登録手段に記憶された任意の発呼先についてハンズフリーモード下における着信の許容又は禁止に関する登録を予めしておくことにより、ハンズフリーモード下において受信したくない相手先に対して応答通話することなく自動的に電話が切られるようにすることができる。
【００３６】
請求項２の携帯電話機によれば、発呼先登録手段に記憶された任意の発呼先にハンズフリーモード下における受信の許容又は禁止に関する登録が為された場合、その登録が為されていることを認識させることができるようにされているので、登録済みか否かについての確認ができ、登録忘れを防止し、それによる問題の発生を未然に防止することが可能となる。
【００３７】
請求項３の携帯電話機によれば、発呼先がハンズフリーモード下における着信時の受信の許容又は禁止に関する登録が為されていることを、その発呼先の表示に予め設定された文字、記号、符号若しくは模様を付記することによって、発呼先及び／若しくはその電話番号の色を他の発呼先のそれらの色と変えることによって、発呼先及び／若しくはその電話番号の背景色を変えることによって、発呼先及び／若しくは電話番号の書体を変えることによって、又は、発呼先及び／若しくは電話番号にアンダーライン若しくはオーバーラインをつけることによって、認識することができる。
【００３８】
請求項４の携帯電話機によれば、ハンズフリーモード下において許容又は禁止に関する登録の為された発呼先からの着信があった場合、自動的に、予め設定されたところの相手先へメッセージを送話し、その後、通話を切る動作をするようにされてなるので、電話をかけてきた相手先に不信感や不快感を与えないで電話を切ることができる。
【００３９】
請求項５の携帯電話機によれば、電話を切る前に相手先に、メッセージを所謂留守録する機会を与えるので、メッセージの留守録が為された場合、後で留守録のメッセージを再生してその内容を認識することが可能となる。
【図面の簡単な説明】
【図１】（Ａ）〜（Ｃ）は本発明携帯電話機一つの実施例を示すもので、（Ａ）は携帯電話機の回路構成の概略を示す回路ブロック図で、（Ｂ）は発呼先登録手段（電話帳ＲＡＭ）に記録された内容の一部をディスプレイに表示した例を示す図、（Ｃ）はハンズフリーモード下において着信があった場合の動作を示すフローチャートである。
【図２】図２は上記実施例における発呼先登録をする発呼先登録モードでの動作を示すフローチャートである。
【符号の説明】
１・・・制御部、２・・・無線回路、８・・・操作部、
９・・・発呼先登録手段（電話帳ＲＡＭ）、１０・・・ディスプレイ、
１１・・・ハンズフリー用回路、１４・・・ハンズフリー用マイクロフォン、
１７Ｒ、１７Ｌ・・・ハンズフリー用スピーカ。
【図１】
2004023185.tif 000003
【図２】
2004023185.tif 000004